(57)【特許請求の範囲】
【請求項１】
貫通する通路を定める概して管状のスリーブ（１０）と、前記通路を横切って広がる平面状の仕切り（１２）と、前記仕切り（１２）を囲むように広がるベルト部材（５０）と、それぞれ前記通路内に広がるとともに前記ベルト部材（５０）に取り付けられたトレイ部材（４０）とタブ部材（４１）を含み、前記タブ部材（４１）が前記通路の外へ第１方向に移動されたとき、前記トレイ部材（４０）が前記第１方向と反対の第２方向に前記通路の外へ移動する箱であって、前記タブ部材（４１）が前記通路の中へ前記第２方向に移動されたとき、前記トレイ部材（４０）が前記通路の中へ前記第１方向に移動するように、前記ベルト部材（５０）が連続したループ形状であることを特徴とする箱。
【請求項２】
管状スリーブ（１０）が、上部パネル（２０）と、下部パネル（２１）と、それぞれ上下のパネル（２０，２１）につながっている２つの側壁（２２）を含み、また、仕切り（１２）が、上下のパネル（２０，２１）と平行であって間隔をあけて置かれた、側壁（２２）間に広がる中間パネルからなることを特徴とする請求項１に記載の箱。
【請求項３】
管状スリーブ（１０）と仕切り（１２）が、折り曲げられ、接着される１枚のシート材料から形成されていることを特徴とする請求項１または２に記載の箱。
【請求項４】
管状スリーブ（１０）が、成形または押出プラスチックから形成されていることを特徴とする請求項１または２に記載の箱。
【請求項５】
管状スリーブ（２００）の側壁（２２２）に、トレイ部材（４０）の各側部に設けられた対応するスロット（２０７）と係合するように適合されたレール部材（２０６）がそれぞれ設けられていることを特徴とする請求項４に記載の箱。
【請求項６】
管状スリーブ（４００）の側壁（４０１）に、トレイ部材（４４０）の各側部に設けられた対応する突起部（４２１，４２２）と係合するように適合されたスロットがそれぞれ設けられていることを特徴とする請求項４に記載の箱。
【請求項７】
スロット（４１１，４１２）に、トレイ（４４０）が前記第２方向に完全に延びた状態にあるときに突起部（４２１，４２２）に接触するように適合された停止端（４１３，４１４）が設けられ、トレイ（４４０）が所定の点を越えて延出するのを防ぐことを特徴とする請求項６に記載の箱。
【請求項８】
ベルト部材（５０）が、前記連続したループを形成するように接合された細長いシート材料からなり、該シート材料が、ベルト部材が仕切り（１２）の周りを容易にスライドするように選択された低摩擦材料であることを特徴とする前記いずれかの請求項に記載の箱。
【請求項９】
ベルト部材（５０）が、仕切り（１２）よりも細く、また、仕切り（１２）には、ベルト部材（５０）が周りを通るベルト路を形成するくびれまたは切り欠き部（６３）が形成され、それによりベルト部材（５０）が、仕切り（１２）に対する横方向の動きが制限され、ベルト路にとどまることを特徴とする請求項８に記載の箱。
【請求項１０】
管状スリーブ（１０）の上下のパネル（２０，２１）が、タブ部材（４１）の一部の上下表面をつかむことができるように、それらの第１側に切り欠き部（６０，６１）またはくぼみが設けられていることを特徴とする前記いずれかの請求項に記載の箱。
【請求項１１】
タブ部材（４１）、トレイ部材（４０）、仕切り（１２）、及びスリーブ（１０）の第１及び第２の縁が、それぞれ第１及び第２方向に向かって位置付けられた縁であり、タブ部材（４１）の第２の縁が、ベルト（５０）上の第１位置（５４）でベルト部材（５０）に取り付けられ、
トレイ部材（４２）の第１の縁が、ベルト（５０）の第２位置（５６）でベルト部材（５０）に取り付けられ、第１及び第２位置（５４，５６）がベルト（５０）上で正反対にあることを特徴とする前記いずれかの請求項に記載の箱。
【請求項１２】
トレイ（４０）が閉まった状態にあるとき、ベルト（５０）の第１位置（５４）がベルト路の第２の縁にあり、ベルト（５０）の第２の位置（５６）がベルト路の第１の縁にあり、また、
トレイ（４０）が完全に開いた状態にあるとき、ベルト（５０）の第１位置（５４）がベルト路の第１の縁にあり、ベルト（５６）の第２位置（５６）がベルト路の第２の縁にあることを特徴とする請求項１１に記載の箱。
【請求項１３】
トレイが、第２のタブ部材に置き換えられていることを特徴とする前記いずれかの請求項に記載の箱。
【請求項１４】
タブ部材が、第２のトレイ部材に置き換えられていることを特徴とする前記いずれかの請求項に記載の箱。
【請求項１５】
互いに表面で接続されている前記いずれかの請求項に記載の２つ以上の箱を含み、上部の箱の下部パネルが、下部の箱の上部パネルと隣接または共通している複合箱。
【請求項１６】
シートを横切って広がる６つの横断する折れ線を有する折り曲げ可能なシート材料の実質的に矩形のシートからなり、折れ線がシートを７つの実質的に矩形の領域に分け、第２領域が使用時に上部パネルを形成し、第４領域が使用時に下部パネルを形成し、第６領域が使用時に仕切りを形成し、第１及び第５領域が相互に結合されるように適合されて使用時に第１側壁を形成し、第３及び第７領域が相互に結合されるように適合されて使用時に第２側壁を形成する、請求項１ないし１４のいずれかに記載の箱の管状部材と仕切りを、折り曲げと接着で形成する打抜き板。
【請求項１７】
第２及び第４領域が、それぞれ一方の長手縁に切り欠き部が設けられていることを特徴とする請求項１６に記載の打抜き板。
【請求項１８】
第６領域が、使用時にベルト部材が周りを通るベルト路を形成するように適合された切り欠き部が各長手縁に設けられていることを特徴とする請求項１６または１７に記載の打抜き板。
【発明の詳細な説明】
【０００１】
本発明は、平坦構造を有するか、平らなトレイに置くことができる何らかの商品の包装、特に、コンパクトディスク、ミニディスク、チョコレート、医薬品、ディジタルビデオディスク、タバコ、見本品、インフォメーションカード、及び電子部品、並びに同様の製品の包装に使用できる箱に関する。
【０００２】
コンパクトディスクは、一般的にプラスチックの装飾ケースに入れられており、コンパクトディスクが横たわるトレイを利用するには、蝶番式の蓋を持ち上げなければならない。そのケースは、蓋をあけることができるように、正しいやり方でつかまれなければならない。小さな手の、あるいは手を使うことが制限されている人々は、標準的な装飾ケースをあけるのに大きな困難を伴なうことがある。コンパクトディスクのデータや記録に関する情報は、通常、蝶番式の蓋の裏側に取り付けられた差込みや小冊子に付与されている。この小冊子を取り除いたり、交換したりするのに、蓋を閉じるときに、それをもとの場所に保つように蓋の側壁の一連の突起の下に通さなければならず、不便なことがある。
【０００３】
コンパクトディスク等を包装する他の方法としては、簡単な厚紙スリーブや曲げ易いプラスチック製のウォレットがある。しかしながら、そのようなスリーブやウォレットは、特に硬かったり頑丈でもなく、また、包装された商品を安全に保持することもない。
【０００４】
本発明の目的は、上記欠点の１つか、それ以上を克服し、開け易く、そして箱の中身についての情報を表示する機会を付与する包装箱を提供することにある。
【０００５】
本発明の第１の側面によれば、貫通する通路を定める概して管状のスリーブと、前記通路を横切って広がる平面状の仕切りと、前記仕切りを囲むように広がるベルト部材と、それぞれ前記通路内に広がるとともに前記ベルト部材に取り付けられたトレイ部材とタブ部材を含み、前記タブ部材が前記通路の外へ第１方向に移動されたとき、前記トレイ部材が前記第１方向と反対の第２方向に前記通路の外へ移動する箱が提供される。
【０００６】
好ましくは、その管状スリーブは断面が矩形であり、上部パネルと、下部パネルと、それぞれ上下のパネルにつながっている２つの側壁を含んでいる。好ましくは、仕切りは側壁の間に広がる中間パネルからなる。好ましくは、中間パネルは、上下のパネルと平行であり、間隔をあけて置かれている。
【０００７】
第１の好適な態様では、管状スリーブと仕切りは、折り曲げられて接着される１枚のシート材料、好ましくは板紙またはプラスチックから形成される。
【０００８】
第２の好適な態様では、管状スリーブと仕切りは、それぞれ別々のシート材料、好ましくは、板紙またはプラスチックから形成され、折り曲げて接着される。仕切りは、内側の管状スリーブから成ってもよい。内側の管状スリーブの下部パネルは、外側の管状スリーブの下部パネルに結合されてもよい。
【０００９】
第３の好適な態様では、管状スリーブが、成形または押出プラスチックから形成されている。管状スリーブの側壁は、それぞれトレイ部材と係合するように適合されたレール部材が設けられてもよい。トレイ部材は、各側部にレール部材と係合するように適合された対応するスロットが設けられてもよい。レール部材またはスロットは、トレイが所定の点を越えて延出するのを防ぐように適合された停止部材が設けられてもよい。管状スリーブの側壁には、平面状の仕切りが取り付けられる突出したフランジ部材がそれぞれ設けられてもよい。
【００１０】
好ましくは、トレイ部材は、トレイ部材が管状スリーブによって完全に囲まれている閉じた状態と、トレイ部材が管状スリーブから突き出てトレイ部材を利用できる開いた状態との間で、自由にスライドするように適合されている。
【００１１】
好ましくは、ベルト部材は、連続したループを形成するように接合された細長いシート材料からなる。好ましくは、前記シート材料は、ベルト部材が仕切りの周りを容易にスライドするように選択された低摩擦材料である。好ましくは、シート材料は、セロファン（Cellophane（登録商標））またはＰＴＦＥのようなプラスチックである。好ましくは、ベルト部材は、仕切りよりも細く、また、仕切りには、ベルト部材が周りを通るベルト路を形成しているくびれまたは切り欠き部が形成され、それによりベルト部材が仕切りに対する横方向の動きが制限され、ベルト路にとどまる。
【００１２】
好ましくは、管状スリーブの上下パネルには、タブ部材の一部の上下表面をつかむことができるように、それらの第１側に切り欠き部またはくぼみが設けられている。好ましくは、タブ部材と管状スリーブの上下パネルは、トレイ部材が閉まった状態にあるとき、第１側でトレイ部材を越えて突き出る。トレイ部材は、管状スリーブより狭くてもよく、あるいはトレイ部材は、その第１側に切り欠き部またはくぼみが設けられてもよい。これにより、使用者は、スリーブの切り欠きを通じて見ることができるタブ部材の一部を掴むことができ、その結果、使用者は第１方向にタブ部材を引いて、反対側でスリーブからスライドするトレイ部材を第２方向に開けることができる。
【００１３】
構成部品の第１の縁とは、第１方向に向けて位置付けられているその縁であり、構成部品の第２の縁とは、第２方向に向けて位置付けられているその縁であるという慣例を用い、そして好ましくは、タブ部材の第２の縁は、ベルトの第１位置でベルト部材に取り付けられ、トレイ部材の第１の縁は、ベルトの第２位置でベルト部材に取り付けられており、ここで第１及び第２位置は正反対にある。好ましくは、トレイが閉まった状態にあるとき、ベルトの第１位置は、ベルト路の第２の縁にあり、ベルトの第２位置は、ベルト路の第１の縁にある。好ましくは、トレイが完全に開いた状態にあるとき、ベルトの第１位置は、ベルト路の第１の縁にあり、ベルトの第２位置は、ベルト路の第２の縁にある。
【００１４】
本発明の第２の側面によれば、トレイ部材が、第２のタブ部材に置き換えられている本発明の第１の側面に係る箱が提供される。好ましくは、１つまたは両方のタブ部材が、型押しまたは印刷されている。
【００１５】
本発明の第３の側面によれば、タブ部材が第２のトレイ部材に置き換えられている本発明の第１の側面に係る箱が提供される。
【００１６】
本発明の第４の側面によれば、本発明の第１、第２、または第３の側面のいずれかに係る２つ以上の箱からなり、互いの表面で接続されている箱が提供される。好ましくは、上部箱の下部パネルが、下部箱の上部パネルを形成する。
【００１７】
本発明の第５の側面によれば、折り曲げと接着で、本発明の第１、第２、第３または第４の側面のいずれかに係る箱の管状部材と仕切りまたは仕切り等を形成する打抜き板が提供される。
【００１８】
好ましくは、打抜き板は、シートを横切って広がる６つの横断する折れ線を有する折り曲げ可能なシート材料からなる実質的に矩形のシートからなり、折れ線がシートを７つの実質的に矩形の領域に分け、第２領域が使用時に上部パネルを形成し、第４領域が使用時に下部パネルを形成し、第６領域が使用時に仕切りを形成し、第１及び第５領域が相互に結合されるように適合されて使用時に第１側壁を形成し、第３及び第７領域が相互に結合されるように適合されて使用時に第２側壁を形成する。好ましくは、第２及び第４領域は、それぞれ一方の長手縁に切り欠き部が設けられている。好ましくは、第６領域は、各長手縁に切り欠き部が設けられ、使用時にベルト部材が周りを通るベルト路を形成するように適合されている。
【００１９】
以下、添付図面を参照しながら、単なる例として、本発明の態様を説明する。
【００２０】
図１ないし５及び１０を参照すると、ＣＤまたは他のデータディスクを包装するのに適した箱が示されている。箱は、中空で矩形の管状スリーブ１０または本体と、中間の高さでその管を横断する仕切り１２またはシャシーからなる。スリーブ１０は、上部パネル２０、下部パネル２１、及び側壁２２を含んでいる。スリーブと仕切りは、下部パネル２１と仕切り１２の折り曲げ前の状態２１′，１２′をそれぞれ示した図２に見られるように、プラスチック、板紙、または厚紙などのシート材料から切断され、折り目をつけて製造された１枚の平坦な打抜き板を折り曲げ、そして接着することによって作ることができる。図２は、箱の下からの図である。パネル２３は、上部パネル２０の下側に結合され、一方、パネル２４，２５は、下部パネル２１の上側に結合されている。
【００２１】
仕切り１２は、スリーブにより形成された管状通路を、２つのより小さな管状通路、タブ部材４１を入れる上部通路３１とトレイ部材４０を入れる下部通路３０とに分割する。仕切り１２は、仕切りに定められたベルト路５２の周りを通るベルト５０を有する。ベルトは、典型的には、その端部が連続したループを形成するように互いにつなげられているセロファン（Cellophane（登録商標））またはＰＴＦＥなどの細長いプラスチックフィルムである。タブ部材４１は、第１ライン５４に沿ってベルト５０に結合されており、一方、トレイ部材４０は、第２ライン５６に沿ってベルト５０に結合されている。
【００２２】
上下のパネルは、左側に切り欠き部を有している。図２では、切り欠き部が、半円形の切り欠き６０として示されており、一方、図３では台形の切り欠き６１となっているが、他の形状が可能である。切り欠きは、箱の使用者が、タブ部材４１の一部６２を、その両側でつかんで、矢印Ｘの方向にタブ部材を引くことにより、保持することが可能になる。
【００２３】
使用者が矢印Ｘの方向にタブ部材４１を引くとき、タブ部材４１は、ボンド５４によりベルト５０に固定されているので、タブ部材４１はベルト５０を矢印Ｚの方向に仕切り１２の周りに回転させる。トレイ部材４０はボンド４６によりベルト５０に取り付けられているので、ベルト５０の移動がトレイ部材４０を矢印Ｙの方向に移動させる。ボンド５４，５６が仕切り１２の端部に達すると、タブ部材４１を矢印Ｘの方向にさらに引くことができなくなり、そのときトレイ部材４０は完全に開いた状態になる。
【００２４】
使用者が矢印Ｙの方向にタブ部材４１を押すと、タブ部材４１が矢印Ｚと反対の方向にベルト５０を仕切りの周りに回転させ、それによりトレイ部材４０が矢印Ｘの方向に移動する。ボンド５４，５６が仕切り１２の両端に達すると、タブ部材４１を矢印Ｙの方向にさらに押すことができなくなり、そのとき、トレイ部材４０は完全に閉まった状態になる。必要に応じ、使用者はトレイ部４０を矢印Ｘの方向に押してトレイを閉めることができる。トレイ部４０とタブ部４１の両方が完全に閉まった状態に戻ることになる点で、その作用は同じである。
【００２５】
ベルト５０は、仕切り１２の側部に切り欠きとして形成されたくびれ部６３によって仕切りのそのベルト路５２上で制限されており、切り欠きはベルト５０よりわずかに幅が広くなっている。必要に応じ、切り欠き６３は仕切りの各側部に形成させることができ、それによりベルト５０はスリーブ１０の縁１５，１６からセットバックしており、箱を普通に使用しているときに見えることはない。ベルト路５２の両端６４，６５の間の距離が、タブとトレイ両方の最大の全体動作を定める。それゆえ、トレイ部材４０が完全に開いた状態にあるときにトレイの中身を手に取るのに十分となるようにベルト路５２の長さを選択しなければならない。
【００２６】
タブ部材には、ＣＤのトラックやデータについての情報など、トレイやタブ部材が完全に開いた状態にあるときに利用できる情報が印刷されてもよい。
【００２７】
通常、スリーブは、開放側１５，１６間がトレイ部材４０より広くなっていることに注目されるべきであり、そのためトレイ部材が閉まった状態にあるときでも、図３の１７で示されたスリーブの部分がトレイ部材４０の上に覆いかぶさり、それでトレイ部材４０がつかみ領域６２によるタブ部材４１の動作の妨げとなることがない。トレイ部材が閉まっている状態にあるときは、トレイ部材４０の縁４２は、概ねスリーブ１０の縁１６とぴったり一致する。
【００２８】
図６は、２つのタブ部材４１ａ，４１ｂと、２つのトレイ部材４０ａ，４０ｂがある本発明の態様を示している。スリーブ１１０は図７に図示されており、図１のスリーブと同様、１枚の抜打ちシートを折り曲げて、接着することにより形成させることができる。スリーブ１１０は、中間の高さで管を横切って広がる２つの仕切り１２ａ，１２ｂを備えた中空で矩形の管状スリーブである。スリーブ１０は、上部パネル１２０、中間パネル１２３、及び下部パネル２１を含み、側壁１２２によって接合されている。
【００２９】
箱は、図１に示されている種類の２つの分離した箱として機能し、効率的に１つずつ積み重なり、タブ部材４１ａを入れる上部通路３１ａとトレイ部材４０ａを入れる下部通路３０ａを定める上部箱用の下部パネルとして、また、タブ部材４１ｂを入れる上部通路３１ｂとトレイ部材４０ｂを入れる下部通路３０ｂを定める下部箱用の上部パネルとして役立つ中間のパネル１２３によって分割されている。トレイ部材とタブ部材は、まさに図１を参照しながら説明したもののように機能する。タブ部材４１ａと４１ｂには、共に他方のタブ部材４１ｂと４１ａの一部をそれぞれつかむことができるように側部に切り欠きが設けられている。
【００３０】
図６に示したものに代わる構造として、上部トレイ４０ａはタブ部材に置き換えることができ、また、下部タブ部材４１ｂはトレイ部材で置き換えることができるだろう。それにより、両部材４０ａ及び４１ａが、トレイ部材４０ｂ及び４１ｂの上に引き抜くことができる透明または半透明の重複部分とすることができる。重複部分には、トレイと重複部分の両方が完全に開いた状態にあるときに、重複部分の真下のトレイの中に見られる商品に関する情報を印刷できるだろう。
【００３１】
図８は、図１に示されるものと同様の本発明の態様を示しているが、タブ部材４１が、第２トレイ部材４２に置き換えられている。この態様は、２枚のＣＤを保管するための「ダブルＣＤ」ボックスとして使用するのに適している。その箱は、第２トレイ部材４２の領域６２ａを保持し、矢印Ｘの方向に引くことによって開けられる。これにより、第１トレイ部材４０は、矢印Ｙの方向に移動される。この態様では、第１トレイ４０はスリーブ１０の切り欠き６１に対応する切り欠き部６１ａを有しており、そのため、第１トレイ４０が完全に閉まった状態のときでも、第１トレイ４０の縁８１が第２トレイ４２の縁８２とぴったり合わさって、第２トレイ４２の領域６２ａは、把持できるように保たれる。
【００３２】
図９は、図８に図示されているものと同様の発明の態様を示しており、それには２つのトレイ部材９１，９２がある。しかしながら、この態様では、トレイ部材はチョコレートを保管するように適合されている。トレイ部材は、折り曲げた板紙で形成されても良く、また、チョコレート９３を保管するように形成された射出成形ライナーを有しても良い。箱は、第２トレイ部材９１の領域６２ｂを保持し、矢印Ｘの方向に引くことによって開けられる。これにより、第１トレイ部材９２は矢印Ｙの方向に移動される。この態様では、第１トレイ９２は、スリーブ１０の切り欠き６１ｂに対応する半円形の切り欠き部６１ｃを有し、図９の切り欠き６１ａと同じ目的に役立つ。
【００３３】
スリーブは、印刷により装飾してもよく、包装の外側に現われる全ての面が打抜き板の同じ側にあるということから、より容易になされる。
【００３４】
スリーブは、硬質の板紙または折り曲げることができるプラスチックから製造されるので、それは軽量であって、耐久性があり、良好な耐衝撃性を示す。スリーブ用の打抜き板は、１枚に切断され、機械による折り曲げと接着により組み立てられても良い。さらに、もしトレイとタブ部材も板紙から製造されれば、それは高い割合でリサイクル材料を含むこととなり、そのパック自体をリサイクルすることができる。
【００３５】
あるいはまた、トレイ部材はプラスチックから作ってもよく、ＣＤの中央の孔を通じてＣＤを保持するための標準的な保持クリップを含むことができる。タブ部材は、板紙や、例えばポリスチレンやポリカーボネートのプラスチック、あるいは適度に硬質の他の材料としてもよい。本体スリーブは、成形や押出しなどの他の方法により作ることができるだろうし、ポリスチレンやポリカーボネートなどのプラスチック材料から作ることができる。
【００３６】
図１１から１５は、スリーブが１つの部材から作られていない本発明の他の態様を示している。この態様では、箱は、図１のシャシー１２に相当する分離したキャリア１０１と、上部パネル２０、下部パネル２１、及び側壁２２を形成する分離した外側ケース１０２からなる。外側ケース１０１は、キャリア１０１の周りを包み、トレイ部材４０、ＣＤ１４０または他の製品、及び引き手またはタブ部材４１が入る。キャリアは、打抜いた板紙かプラスチックとすることができ、印刷されている必要はない。この特別な形の箱構造は、その箱を組み立てるのに必要な折り曲げ順序が、非常に単純化されているので、自動化された製造工程に適している。図１４から分かるように、キャリア１０１は、折り曲げられ、その周りで接着されたベルト５０を有し、好ましくは、キャリアがまだ平である場合には、折り曲げられていない状態にある。図１５に見られるように、接着剤１０４が、トレイ４０またはベルト５０のいずれかに塗布され、次いで、キャリア１０１がトレイ４０の周りに巻かれ、ベルト５０をトレイ４０に固定する細長い接着剤１０４とともに、キャリアが硬い矩形の管を形成するように、トレイ４０とキャリアの端部が接着１０３される。
【００３７】
次いで、さらに細長い接着剤１０５が、印刷された情報が付与されていても良いベルトと引き手４１に塗布され、その細長い接着剤１０５が、ベルト５０を引き手４１に固定するようにキャリア１０１上に、矢印１０６の方向に置かれる。次いで、外側ケース１０２が、矢印１０７の方向にキャリア１０１と引き手４１の両方の周りに折り曲げられ、外側ケース１０２が、硬い矩形の管となるように、接着剤１０７が側壁２２を形成するフラップ１０８に塗布される。接着剤１０８は、接触している外側ケース１０２とキャリア１０１の間にも塗布される。引き手部材４０と外側ケース１０２だけが印刷される必要があり、印刷コストをより低くする。印刷は、外側ケース１０２の一方側にだけ要求される。引き手４１は、それをより硬くし、箱の使用者による押しや引きに耐えられるように、そして、打抜き板の一方側にだけ印刷しながらも引き手４１の両側に印刷物を付与するように、二重の層に折り畳んだ板紙からなってもよい。
【００３８】
図１６及び１７は、箱のスリーブ２００が、プラスチックから作られている本発明の別の態様を示しており、押出し、真空成形、または射出成形などの何らかの適切な方法により形成することができる。箱は、引き手部材４１、ベルト５０の付いたシャシー部材２０１、及びトレイ４０が入り、図１を参照しながら上記した箱と同じように機能する。スリーブ２００は、硬質の矩形のスリーブであり、スリーブの側部内側面は、接着剤２０３等の何らかの適切な手段によりシャシー部材２０１にとめられている棚部材２０２がそれぞれ設けられている。２つのレール部材２０６は、好ましくは、それもプラスチック製であるトレイ４０の対向側に形成された２つの溝２０７と協調し合う。シャシー２０１に据え付けられ、接着剤２０４，２０５によりトレイ４０と引き手部材４１にとめられたベルト５０の作用により、トレイが、図１を参照しながら上記した方法でスリーブ２００から引き出されるので、レール２０６と溝２０７は、トレイが滑らかに動き、揺動運動が防がれるようにトレイを案内する役割をする。トレイ４０の小部分だけがまだスリーブ２００の内部にあるようにスリーブ２００から片持ばり風に突き出したときでさえ、トレイ５０は安定して保持される。トレイが引き出され過ぎるのを止めるため、レール２０６または溝２０７に停止部材（図示せず）が設けられてもよい。レール２０６と溝２０７は省かれてもよく、それにより棚部材２０３がガイドレールそのものとして役割をし、棚部材２０３、スリーブの側壁２２２及び底２２１により形成された溝の内部にトレイ４０の縁を保持する。
【００３９】
図１８及び１９は、本発明のさらなる態様を示しており、箱のスリーブは、押出し、真空成形、または射出成形などの何らかの適切な方法により形成することができるプラスチックから作られたフレーム４００を有している。図１８及び１９では、明確のため上下のパネルが省略されているが、これらはプラスチック製とすることができ、またフレームを形成することもでき、あるいは、それらはフレームの製造及びトレイと引き手部材の組立て後、フレームの周りに包まれる板紙等の他の材料としてもよいと理解されるべきである。
【００４０】
フレームは、２つの側部部材４０１とこの側部部材の間にかけ渡された仕切りまたはシャシー部材４０２を含んでいる。ベルト（図示せず）は、他の態様のように、仕切りの周りに輪にされており、ここではさらに説明する必要は無い。箱は、引き手部材４４１とトレイ４４０が入り、図１を参照しながら上記した箱と同じように機能する。側部部材４０１の側部内面には、２つの長手方向に延出する溝４１１，４１２がそれぞれ設けられ、それらはその通路部分を（図１９に図示されているように）側壁中までとしてもよく、あるいは（図１８に図示されているように）貫通したスロットの形であってもよい。引き手部材４４１とトレイ部材４４０の両方に、溝やスロット４１１，４１２と係合するように適合されている突出したさね部４２１，４２２が設けられている。好ましくは、引き手部材４４１とトレイ４４０は共にプラスチックである。トレイ４４０は、シャシー４０２に据え付けられたベルト５０の作用により、図１を参照しながら上記した方法でフレーム４００から引き出されるので、溝４１１，４１２及びさね４２１，４２２は、トレイと引き手部を、それらが滑らかに動き、揺動動作が防がれるように案内する役割をする。溝４１１，４１２の端部４１３，４１４は、さね４１３，４２２の動きを制限し、トレイ４４０がさらに引かれ過ぎるを止める。
【００４１】
図２０から２４は、図１から５まで参照しながら説明したものと同様の箱を示しており、打抜き板３００が、中空矩形の管状スリーブ３１０と仕切り３１２を形成するように組み立てられるという点のみ異なっている。スリーブ３１０は、上部パネル３２０と、下部パネル３２１と、側壁３６２，３６３を含んでいる。スリーブと仕切りは、プラスチック、板紙、または厚紙などのシート材から、切断と折り目を付けることにより製造された１枚の平らな打抜き板を折り曲げて接着することにより作ることができ、その打抜き板を７つのパネルに分割する一連の横切る折れ線３５０−３５５が付与されている。打抜き板は、図２２に示されるように平らに置かれ、ベルト５０が仕切り３１２の周りに留められ、次いでトレイ４０とタブ部材４１は、何らかの適切な接着手段によりベルト５０に留められる。パネル３６０は、折れ線３５０の周りで９０度まで折り曲げられる。仕切り３１２は、トレイ４０とタブ部材４１と共に、折れ線３５１，３５２上で２つの９０度の折り曲げを形成することにより、矢印３７１の方向に下部パネル３２１上へと折り曲げられる。折れ線３５１，３５２の間のパネル３６１は、第１側壁の内側部分を形成する。パネル３６０は、第２側壁の内側部分を形成する。
【００４２】
上部パネル３２０は、次いで折れ線３５３，３５４上で２つの９０度の折り曲げを形成することにより、矢印３７２の方向に下部パネル３２１と仕切り３１２上へと折り曲げられる。折れ線３５３，３５４の間のパネル３６２は、第２側壁の外側部分を形成する。
【００４３】
最終的に、パネル３６３は、折れ線３５５の周りで９０まで折り下げられて第１側壁の外側部分を形成する。
【００４４】
箱は、上記態様と同じように機能し、ここではさらに説明はしない。図２０から２４を参照して説明した製造方法は、最小の折り曲げ回数の、一片の打抜き板を使用した大量生産のための特に効率的な方法を提供する。
【００４５】
本発明は、取り外しができる製品を含まずに、製品または情報を表示するために使用される箱を包含する。トレイは、第２タブ部材に置き換えられてもよく、それによりスリーブの一方の側のタブ部材を引くことで、他方の部材がスリーブの他方の側に引き出される。箱が宣伝ツールとして使用できるように、タブ部材は印刷された情報または布製の見本品を含むことができるだろう。箱の機構は、変化しないままである。
【００４６】
箱は、コンパクトディスク、ミニディスク、ディジタルビデオディスク、菓子類、チョコレート、医薬品、宝石、タバコ、見本品、情報カード及び電子部品、並びにトレイに包装できる何らかの他の製品に対して使用できる。
【００４７】
スリーブは、フォイルブロッキングと型押しにより仕上げを適用させることができる。包装は、印刷面上にワニスを印刷するかフィルムラミネートすることにより布拭き清浄仕上げ（wipe-clean finish）を付与することができるだろう。
【００４８】
包装に強制的なロック装置が無いので、製品を容易に入れたり出したりすることができ、年配の人や弱者に適した包装となる。
【００４９】
包装は、多くの形状と大きさに作ることができ、図に示される形状に限定されない。
【００５０】
本発明の範囲から逸脱せずに、改良及び変更を組みこむことができる。
【図面の簡単な説明】
【図１】  明確のためにタブとトレイ部材が省略された、本発明の第１の態様による箱の斜視図である。
【図２】  タブとトレイ部材を示す、組み立て中の図１の箱の斜視図である。
【図３】  トレイが半分開いた状態にあるときの図１の箱の平面図である。
【図４】  図３の箱のＡ−Ａ線の断面である。
【図５】  トレイが半分開いた状態にあるときの図３の箱の仕切りの平面図である。
【図６】  ２つのタブ部材と２つのトレイ部材を有する、本発明の第２の態様に係る箱の斜視図である。
【図７】  明確のためにタブとトレイ部材が省略されており、１枚の打抜き板を折り曲げて接着することによりハウジングがどのように形成されるかを示す、図６の箱の斜視図である。
【図８】  ２枚のＣＤを保管するための、タブ部材が第２トレイ部材に置きかえられている本発明の第３の態様に係る箱の平面図である。
【図９】  チョコレートを保管するための、タブ部材が第２トレイ部材によって置きかえられている本発明の第４の態様に係る箱の平面図である。
【図１０】  箱の内部を示すためにスリーブの上部が切り取られ、完全に開いた状態にある図１の箱の斜視図である。
【図１１】  キャリアと外側ケースが分離している、本発明の第５の側面に係る箱のトレイとキャリアの斜視図である。
【図１２】  タブ部材または引き手、及びキャリアとトレイの周囲の外側ケースの配置を示す、組み立て中の図１１の箱の図である。
【図１３】  図１２の組み立てられた箱の平面図である。
【図１４】  図１３の箱を通るＸＩＶ−ＸＩＶ線の断面である。
【図１５】  図１３の箱を通るＸＶ−ＸＶ線の断面である。
【図１６】  本発明の第６の態様に係る箱を通る断面である。
【図１７】  図１６の部分拡大図である。
【図１８】  本発明の第７の態様に係る箱の斜視図である。
【図１９】  図１８の箱の部分平面図である。
【図２０】  明確のためにタブとトレイ部材が省略されている、本発明の第８の態様に係る箱の斜視図である。
【図２１】  図２１は、図２０の箱を通る横断面である。
【図２２】  タブとトレイ部材を示す、組みたての第１段階中の図２０の箱の斜視図である。
【図２３】  タブとトレイ部材を示す、組みたての第２段階中の図２０の箱の斜視図である。
【図２４】  図２０の箱の製造において使用される打抜き板の平面である。
【符号の説明】
１０…管状スリーブ、  １２…平面状の仕切り、  １５，１６…縁、  ２０…上部パネル、  ２１…下部パネル、  ２２…側壁、  ２３，２４，２５…パネル、  ３０…下部通路、  ３１…上部通路、  ４０…トレイ部材、  ４１…タブ部材、  ４２…トレイ部材、  ５０…ベルト、  ５２…ベルト路、  ５４，５６…ボンド、６０…切り欠き、  ６１…切り欠き、  ６２…つかみ部分、  ６３…くびれ部、  ６４，６５…ベルト路の両側端、  ８１，８２…縁、  ９１…第２トレイ部材、  ９２…第１トレイ部材、  ９３…チョコレート、  １０１…キャリア、  １０２…外側ケース、  １０３…接着、  １０５…接着剤、  １０６…矢印、  １１０…スリーブ、  １２０…上部パネル、  １２２…側壁、  １２３…中間パネル、  ２００…スリーブ、  ２０１…シャシー部材、  ２０２…棚部材、  ２０３，２０４，２０５…接着剤、  ２０６…レール、  ２０７…溝、  ２２１…底、  ２２２…側壁。
【図１】
0003875840.tif 000002
【図２】
0003875840.tif 000003
【図３】
0003875840.tif 000004
【図４】
0003875840.tif 000005
【図５】
0003875840.tif 000006
【図６】
0003875840.tif 000007
【図７】
0003875840.tif 000008
【図８】
0003875840.tif 000009
【図９】
0003875840.tif 000010
【図１０】
0003875840.tif 000011
【図１１】
0003875840.tif 000012
【図１２】
0003875840.tif 000013
【図１３】
0003875840.tif 000014
【図１４】
0003875840.tif 000015
【図１５】
0003875840.tif 000016
【図１６】
0003875840.tif 000017
【図１７】
0003875840.tif 000018
【図１８】
0003875840.tif 000019
【図１９】
0003875840.tif 000020
【図２０】
0003875840.tif 000021
【図２１】
0003875840.tif 000022
【図２２】
0003875840.tif 000023
【図２３】
0003875840.tif 000024
【図２４】
0003875840.tif 000025